(57)【要約】【課題】原稿のページを指定する際に生じるユーザーの手間を軽減可能な画像処理装置、及び画像処理方法を提供すること。【解決手段】画像処理装置は、原稿のページ各々の画像データに基づいて前記原稿のページ各々に含まれる特徴画像を検出し（ステップＳ３）、検出された前記原稿のページ各々の前記特徴画像を表示部に表示させて（ステップＳ４）前記特徴画像に基づく前記原稿のページ各々の指定操作を受け付け、前記指定操作で指定された指定ページに対して予め定められた特定処理を実行する（ステップＳ１０）。【選択図】図３
2016158017.tif 000002
【特許請求の範囲】
【請求項１】
原稿の画像データに基づいて前記原稿のページ各々に含まれる特徴画像を検出する画像検出部と、
前記原稿のページ各々の前記特徴画像を表示部に表示させて前記特徴画像に基づく前記原稿のページ各々の指定操作を受け付ける受付処理部と、
前記指定操作で指定された指定ページに対して予め定められた特定処理を実行する処理実行部と、
を備える画像処理装置。
【請求項２】
前記原稿の画像データに基づいて前記原稿のページ各々に含まれる文字を認識する認識処理部を更に備え、
前記画像検出部が、前記認識処理部による認識結果に基づいて前記原稿のページ各々に含まれる前記特徴画像を検出する請求項１に記載の画像処理装置。
【請求項３】
前記特徴画像が、前記原稿のページに含まれる先頭行の文字画像、前記原稿のページ番号を示す文字画像、前記原稿の章番号を示す文字画像、予め定められたフォントの文字画像、及び予め定められた閾値を超えるサイズの文字画像のいずれか一つ又は複数を含む請求項２に記載の画像処理装置。
【請求項４】
前記画像検出部が、前記原稿のページ各々に含まれる複数の前記特徴画像を検出し、
前記受付処理部が、予め定められた切替操作に応じて前記表示部に表示される前記特徴画像を切り替える請求項１〜３のいずれかに記載の画像処理装置。
【請求項５】
シートが載置される複数のシート載置部と、
予め選択されたいずれかの前記シート載置部から前記シートを搬送するシート搬送部と、
前記原稿の画像データに基づいて前記シート搬送部により搬送される前記シートに前記原稿のページ各々を印刷する印刷処理部とを更に備え、
前記特定処理が、前記指定ページが印刷される前記シートと前記指定ページの前後いずれかのページが印刷される前記シートとの間に前記選択と異なる前記シート載置部から搬送される前記シートを挿入する第１処理、及び前記指定ページが印刷される前記シートを前記選択と異なる前記シート載置部から搬送される前記シートに変更する第２処理のいずれか一方又は両方を含む請求項１〜４のいずれかに記載の画像処理装置。
【請求項６】
シートを搬送するシート搬送部と、
前記原稿の画像データに基づいて前記シート搬送部により搬送される前記シートの両面に前記原稿のページ各々を印刷する印刷処理部とを更に備え、
前記特定処理が、前記指定ページの印刷位置が前記シートの裏面である場合に、前記印刷位置を前記シート搬送部により次に搬送される前記シートの表面に変更する第３処理を含む請求項１〜５のいずれかに記載の画像処理装置。
【請求項７】
前記原稿から画像データを読み取り可能な画像読取部を更に備える請求項１〜６のいずれかに記載の画像処理装置。
【請求項８】
原稿の画像データに基づいて前記原稿のページ各々に含まれる特徴画像を検出する第１ステップと、
前記原稿のページ各々の前記特徴画像を表示部に表示させて前記特徴画像に基づく前記原稿のページ各々の指定操作を受け付ける第２ステップと、
前記指定操作で指定された指定ページに対して予め定められた特定処理を実行する第３ステップと、
を含む画像処理方法。
【発明の詳細な説明】
【技術分野】
【０００１】
本発明は、画像処理装置、及び画像処理方法に関する。
【背景技術】
【０００２】
コピー機のような画像処理装置では、原稿のページ各々から画像データが読み取られて、読み取られた画像データに基づいて前記原稿のページ各々がシートに印刷される。ところで、ユーザーにより指定された原稿のページの前に合紙を挿入して前記原稿を印刷することが可能な画像処理装置が知られている。また、ユーザーにより指定された原稿のページが常にシートの表面に配置されるように前記原稿を印刷することが可能な画像処理装置が知られている。これらの画像処理装置では、ユーザーにより原稿のページが指定されて前記原稿の印刷処理が実行される。ここで、原稿のページ各々の画像全体を表示部に表示させて、前記画像を操作して前記原稿のページ各々を指定可能な画像処理装置が知られている（例えば、特許文献１参照）。
【先行技術文献】
【特許文献】
【０００３】
【特許文献１】特開２００６−１６６２２０号公報
【発明の概要】
【発明が解決しようとする課題】
【０００４】
しかしながら、原稿のページ各々の画像全体が表示部に表示される場合には、表示されるページ数が多いほど、原稿のページ各々の内容が見づらくなる。一方で、表示されるページ数が少ないほど、ページの切り替え操作の手間が増えることになる。そのため、ユーザーが原稿のページの指定に手間取ることがある。
【０００５】
本発明の目的は、原稿のページを指定する際に生じるユーザーの手間を軽減可能な画像処理装置、及び画像処理方法を提供することにある。
【課題を解決するための手段】
【０００６】
本発明の一の局面に係る画像処理装置は、画像検出部と、受付処理部と、処理実行部とを備える。前記画像検出部は、原稿の画像データに基づいて前記原稿のページ各々に含まれる特徴画像を検出する。前記受付処理部は、前記原稿のページ各々の前記特徴画像を表示部に表示させて前記特徴画像に基づく前記原稿のページ各々の指定操作を受け付ける。前記処理実行部は、前記指定操作で指定された指定ページに対して予め定められた特定処理を実行する。
【０００７】
本発明の他の局面に係る画像処理方法は、以下の第１ステップから第３ステップまでを含む。前記第１ステップは、原稿の画像データに基づいて前記原稿のページ各々に含まれる特徴画像を検出する。前記第２ステップは、前記原稿のページ各々の前記特徴画像を表示部に表示させて前記特徴画像に基づく前記原稿のページ各々の指定操作を受け付ける。前記第３ステップは、前記指定操作で指定された指定ページに対して予め定められた特定処理を実行する。
【発明の効果】
【０００８】
本発明によれば、原稿のページを指定する際に生じるユーザーの手間を軽減可能な画像処理装置、及び画像処理方法が実現される。
【図面の簡単な説明】
【０００９】
【図１】図１は、本発明の実施形態に係る画像処理装置の構成を示す図である。
【図２】図２は、本発明の実施形態に係る画像処理装置のシステム構成を示すブロック図である。
【図３】図３は、本発明の実施形態に係る画像処理装置で実行される印刷制御処理の一例を示すフローチャートである。
【図４】図４は、本発明の実施形態に係る操作表示部に表示される操作受付画面の一例を示す図である。
【発明を実施するための形態】
【００１０】
以下、添付図面を参照しながら、本発明の実施形態について説明し、本発明の理解に供する。なお、以下の実施形態は、本発明を具体化した一例であって、本発明の技術的範囲を限定するものではない。
【００１１】
［画像処理装置１０の概略構成］
まず、図１及び図２を参照しつつ、本発明の実施形態に係る画像処理装置１０の概略構成について説明する。ここで、図１は画像処理装置１０の構成を示す断面模式図である。
【００１２】
図１及び図２に示すように、画像処理装置１０は、ＡＤＦ１、画像読取部２、画像形成部３、給紙部４、制御部５、操作表示部６、及び記憶部７を備える。画像処理装置１０は、原稿から画像データを読み取るスキャン機能、及び画像データに基づいて画像を形成するプリント機能と共に、ファクシミリ機能、又はコピー機能などの複数の機能を有する複合機である。また、本発明は、スキャナー装置、プリンター装置、ファクシミリ装置、及びコピー機などの画像処理装置に適用可能である。
【００１３】
ＡＤＦ１は、不図示の原稿セット部、複数の搬送ローラー、原稿押さえ、及び排紙部を備え、画像読取部２によって読み取られる原稿を搬送する自動原稿搬送装置である。画像読取部２は、不図示の原稿台、光源、複数のミラー、光学レンズ、及びＣＣＤ（Charge Coupled Device）を備え、原稿から画像データを読み取ることが可能である。
【００１４】
画像形成部３は、画像読取部２で読み取られた画像データに基づいて、電子写真方式でカラー又はモノクロの画像を形成する画像形成処理（印刷処理）を実行可能である。また、画像形成部３は、外部のパーソナルコンピューター等の情報処理装置から入力された画像データに基づいて前記印刷処理を実行することも可能である。
【００１５】
具体的に、画像形成部３は、図１に示すように、複数の画像形成ユニット３１〜３４、光走査装置（ＬＳＵ）３５、中間転写ベルト３６、二次転写ローラー３７、定着装置３８、及び排紙トレイ３９を備える。画像形成ユニット３１はＣ（シアン）、画像形成ユニット３２はＭ（マゼンタ）、画像形成ユニット３３はＹ（イエロー）、画像形成ユニット３４はＫ（ブラック）に対応する電子写真方式の画像形成ユニットである。画像形成ユニット３１〜３４各々は、感光体ドラム、帯電装置、現像装置、一次転写ローラー、及びクリーニング装置などを備える。
【００１６】
光走査装置３５は、画像データに基づくレーザー光を前記感光体ドラム各々に照射することにより前記感光体ドラム各々に画像データに基づく静電潜像を形成する。そして、前記現像装置により前記感光体ドラム各々で現像された各色のトナー像は、中間転写ベルト３６に中間転写された後、二次転写ローラー３７によって、給紙部４から供給されるシートに転写される。その後、トナー像が転写された前記シートは、定着装置３８によりトナー像が溶融定着されることでカラー画像が形成され、排紙トレイ３９に排出される。
【００１７】
給紙部４は、画像形成部３により画像が形成されるシートを搬送する。ここに、給紙部４が、本発明におけるシート搬送部の一例である。
【００１８】
具体的に、給紙部４は、図１に示すように、給紙カセット４１、手差しトレイ４２、第１搬送路４３、第２搬送路４４、及び切替部材４５を備える。給紙カセット４１及び手差しトレイ４２にはシートが載置される。ここに、給紙カセット４１及び手差しトレイ４２が、本発明における複数のシート載置部の一例である。なお、以下の説明においては、給紙カセット４１及び手差しトレイ４２を総称して、シート載置部と呼称する場合がある。
【００１９】
第１搬送路４３は、給紙カセット４１及び手差しトレイ４２から排紙トレイ３９に至るシートの搬送経路であって、画像処理装置１０の筐体内に設けられた一対の搬送ガイド部材により形成される。第１搬送路４３には、ピックアップローラー、レジストローラー、排出ローラー４３Ａを含む複数のローラーが設けられる。給紙部４では、不図示のモーターから伝達される駆動力で複数の前記ローラーが回転することで、給紙カセット４１又は手差しトレイ４２に載置されるシートが排紙トレイ３９まで搬送される。
【００２０】
第２搬送路４４は、第１搬送路４３における定着装置３８の下流側と前記レジストローラーの上流側とを接続するシートの搬送経路であって、画像処理装置１０の筐体内に設けられた一対の搬送ガイド部材により形成される。第２搬送路４４には、シートを搬送する複数のローラーが設けられる。切替部材４５は、第１搬送路４３における下流側の第２搬送路４４との合流部に設けられ、第１搬送路４３及び第２搬送路４４のいずれか一方を開放すると共に、他方を閉鎖することが可能である。
【００２１】
画像処理装置１０では、給紙部４により搬送されるシートの両面に画像を形成することが可能である。具体的に、制御部５は、シートの両面に印刷が行われる場合には、画像形成部３により表面に画像が形成されたシートの後端が前記合流部を通過したタイミングで、切替部材４５を動作させる。これにより、第１搬送路４３が閉鎖されると共に第２搬送路４４が開放される。一方、制御部５は、切替部材４５が動作して第２搬送路４４が開放された後に、排出ローラー４３Ａを逆回転させる。これにより、シートが第２搬送路４４に送出されて、表面と裏面とが逆転した状態で画像形成部３による画像形成位置まで搬送される。
【００２２】
制御部５は、不図示のＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性の記憶部である。制御部５では、前記ＣＰＵにより前記ＲＯＭに予め記憶された各種の制御プログラムが実行される。これにより、画像処理装置１０が制御部５により統括的に制御される。なお、制御部５は、集積回路（ＡＳＩＣ）などの電子回路で構成されたものであってもよく、画像処理装置１０を統括的に制御するメイン制御部とは別に設けられた制御部であってもよい。
【００２３】
操作表示部６は、制御部５からの制御指示に応じて各種の情報を表示する液晶ディスプレーなどの表示部、及びユーザーの操作に応じて制御部５に各種の情報を入力する操作キー又はタッチパネルなどの操作部を有する。ここに、操作表示部６が、本発明における表示部の一例である。
【００２４】
記憶部７は、ＳＳＤ（ソリッドステートドライブ）又はＨＤＤ（ハードディスクドライブ）などの記憶装置である。なお、制御部５にＥＥＰＲＯＭ（登録商標）などの不揮発性メモリーが設けられており、記憶部７が省略されることも考えられる。
【００２５】
ところで、ユーザーにより指定された原稿のページの前に合紙を挿入して前記原稿を印刷することが可能な画像処理装置が知られている。また、ユーザーにより指定された原稿のページが常にシートの表面に配置されるように前記原稿を印刷することが可能な画像処理装置が知られている。これらの画像処理装置では、ユーザーにより原稿のページが指定されて前記原稿の印刷処理が実行される。ここで、原稿のページ各々の画像全体を表示部に表示させて、前記画像を操作して前記原稿のページ各々を指定可能な画像処理装置が知られている。
【００２６】
しかしながら、原稿のページ各々の画像全体が表示部に表示される場合には、表示されるページ数が多いほど、原稿のページ各々の内容が見づらくなる。一方で、表示されるページ数が少ないほど、ページの切り替え操作の手間が増えることになる。そのため、ユーザーが原稿のページの指定に手間取ることがある。これに対し、本発明の実施形態に係る画像処理装置１０では、原稿のページを指定する際に生じるユーザーの手間を軽減することが可能である。
【００２７】
具体的に、制御部５の前記ＲＯＭには、前記ＣＰＵに後述の印刷制御処理（図３のフローチャート参照）を実行させるための印刷制御プログラムが予め記憶されている。なお、前記印刷制御プログラムは、ＣＤ、ＤＶＤ、フラッシュメモリーなどのコンピューター読み取り可能な記録媒体に記録されており、前記記録媒体から読み取られて記憶部７にインストールされるものであってもよい。
【００２８】
そして、制御部５は、図２に示すように、読取処理部５１、認識処理部５２、画像検出部５３、受付処理部５４、印刷処理部５５、及び処理実行部５６を含む。具体的に、制御部５は、前記ＣＰＵを用いて前記ＲＯＭに記憶されている前記印刷制御プログラムを実行することにより、読取処理部５１、認識処理部５２、画像検出部５３、受付処理部５４、印刷処理部５５、及び処理実行部５６として機能する。
【００２９】
読取処理部５１は、ＡＤＦ１及び画像読取部２を制御して、ＡＤＦ１の前記原稿セット部に載置される原稿のページ各々の画像を読み取る。具体的に、読取処理部５１は、ＡＤＦ１を制御して、前記原稿セット部に載置される複数枚の前記原稿を順次搬送する。また、読取処理部５１は、画像読取部２を制御して、ＡＤＦ１により搬送される前記原稿から前記原稿のページ各々の画像を読み取る。
【００３０】
認識処理部５２は、読取処理部５１により読み取られた前記原稿の画像データに基づいて、前記原稿のページ各々に含まれる文字を認識する。具体的に、認識処理部５２は、前記原稿のページ各々に含まれる文字の識別情報（文字コード）、色情報、サイズ情報、位置情報、及びフォント情報を含む文字情報を取得する。
【００３１】
例えば、認識処理部５２は、前記原稿の画像データに基づいて前記原稿のページ各々に含まれる文字に対応する文字画像を切り出し、切り出された文字画像における文字の形状、色、切り出し範囲、及び切り出し位置から、文字の前記識別情報、前記色情報、前記サイズ情報、及び前記位置情報を取得する。
【００３２】
また、認識処理部５２は、切り出された文字画像及び取得された前記識別情報に基づいて、文字のフォント情報を取得する。例えば、記憶部７には、前記識別情報によって識別される文字各々に対応する複数のフォント画像が予め記憶されている。認識処理部５２は、取得された前記識別情報に基づいて、前記識別情報によって識別される文字に対応する全てのフォント画像を記憶部７から取得する。そして、認識処理部５２は、取得された全てのフォント画像から、切り出された文字画像と形状が最も類似するフォント画像を特定することで、前記フォント情報を取得する。なお、認識処理部５２は、他の公知の方法を用いて前記原稿のページ各々に含まれる文字を認識するものであってもよい。
【００３３】
画像検出部５３は、前記原稿の画像データに基づいて前記原稿のページ各々に含まれる特徴画像を検出する。例えば、前記特徴画像は、前記原稿のページに含まれる先頭行の文字画像、前記原稿のページ番号を示す文字画像、前記原稿の章番号を示す文字画像、予め定められたフォントの文字画像、及び予め定められた閾値を超えるサイズの文字画像を含む。なお、前記特徴画像は、前記原稿のページに含まれる上端部、右端部、左端部、又は下端部の文字列画像であってもよく、複数行の文字画像であってもよい。また、前記特徴画像は、前記原稿のページにおいて他の文字画像と色が異なる文字画像であってもよい。
【００３４】
具体的に、画像検出部５３は、認識処理部５２による認識結果に基づいて、前記原稿のページ各々に含まれる前記特徴画像を検出する。ここで、画像検出部５３は、前記原稿のページ各々に含まれる複数の前記特徴画像を検出する。
【００３５】
例えば、画像検出部５３は、前記文字情報に基づいて、前記原稿のページ各々における先頭行の文字列の表示領域を特定して、特定された表示領域に対応する前記原稿のページの一部画像を前記特定画像として検出する。
【００３６】
また、画像検出部５３は、前記文字情報に基づいて、前記原稿のページ各々において数字と「章」又は「ページ」の文字の組み合わせからなる章番号又はページ番号を示す文字列の有無を検出する。そして、画像検出部５３は、章番号又はページ番号を示す文字列が検出されたページについてはその表示領域を特定して、特定された表示領域に対応する前記原稿のページの一部画像を前記特徴画像として検出する。
【００３７】
また、画像検出部５３は、前記文字情報に基づいて、前記原稿のページ各々における予め定められたフォント又は予め定められた閾値を超えるサイズの文字の有無を検出する。そして、画像検出部５３は、前記フォント又は前記閾値を超えるサイズの文字が検出されたページについてはその表示領域を検出して、特定された表示領域に対応する前記原稿のページの一部画像を前記特徴画像として検出する。
【００３８】
受付処理部５４は、前記原稿のページ各々の前記特徴画像を操作表示部６に表示させて、前記特徴画像に基づく前記原稿のページ各々の指定操作を受け付ける。例えば、受付処理部５４は、画像検出部５３により検出された複数の前記特徴画像のいずれか一つが表示された、前記指定操作を行うための操作受付画面を操作表示部６に表示させる。また、受付処理部５４は、前記操作受付画面における予め定められた切替操作に応じて、操作表示部６に表示される前記特徴画像を画像検出部５３により検出された他の前記特徴画像に切り替える。
【００３９】
なお、受付処理部５４は、画像検出部５３により前記特徴画像が検出されないページがある場合には、前記特徴画像に替えて、前記ページの画像の一部を操作表示部６に表示させてもよい。また、受付処理部５４は、前記原稿に白紙ページが含まれる場合には、前記特徴画像に替えて、前記ページが白紙である旨のメッセージを操作表示部６にさせてもよい。
【００４０】
印刷処理部５５は、読取処理部５１により読み取られた前記原稿の画像データに基づいて、給紙部４により搬送される前記シートに前記原稿のページ各々を印刷する。具体的に、印刷処理部５５は、給紙部４を制御して、給紙カセット４１及び手差しトレイ４２のうち予めユーザー操作又は初期設定で選択された前記シート載置部から前記シートを搬送させる。また、印刷処理部５５は、画像形成部３を制御して、給紙部４により搬送される前記シートに画像を形成する。
【００４１】
また、印刷処理部５５は、操作表示部６におけるユーザー操作により両面印刷が指示された場合には、給紙部４により搬送される前記シートの両面に前記原稿のページ各々を印刷する。この場合、印刷処理部５５は、給紙部４の切替部材４５及び排紙ローラー４３Ａを制御して、画像形成部３により表面に画像が形成された前記シートを第２搬送路４４に送出する。そして、印刷処理部５５は、画像形成部３及び給紙部４を制御して、第２搬送路４４を経由して再度画像形成部３による画像形成位置まで搬送される前記シートの裏面に画像を形成する。
【００４２】
処理実行部５６は、前記指定操作で指定された指定ページに対して、予め定められた特定処理を実行する。
【００４３】
例えば、前記特定処理は、前記指定ページが印刷される前記シートと前記指定ページの前後いずれかのページが印刷される前記シートとの間に、ユーザー操作又は初期設定による選択と異なる前記シート載置部から搬送される前記シートを挿入する第１処理を含む。
【００４４】
また、前記特定処理は、前記指定ページが印刷される前記シートを、ユーザー操作又は初期設定による選択と異なる前記シート載置部から搬送される前記シートに変更する第２処理を含む。
【００４５】
また、前記特定処理は、前記指定ページの印刷位置が前記シートの裏面である場合に、前記印刷位置を前記シート搬送部により次に搬送される前記シートの表面に変更する第３処理を含む。なお、前記第３処理は、操作表示部６におけるユーザー操作により両面印刷が指示された場合にのみ実行される。また、前記第３処理は、前記第１処理又は前記第２処理と組み合わせて実行することが可能である。
【００４６】
具体的に、処理実行部５６は、画像形成部３及び給紙部４を制御して、前記操作受付画面において選択された前記第１処理、前記第２処理、及び前記第３処理のいずれか一つ又は複数の前記特定処理を実行する。
【００４７】
なお、前記特定処理は、前記指定操作で指定された指定ページに対する拡大縮小処理、印刷濃度変更処理、印刷色変更処理、ページ集約などの印刷レイアウト変更処理であってもよい。また、前記特定処理は、前記指定操作で指定された指定ページに対応する画像データに対する画像処理であってもよい。
【００４８】
［印刷制御処理］
以下、図３を参照しつつ、画像処理装置１０において制御部５により実行される印刷制御処理の手順の一例について説明する。ここで、ステップＳ１、Ｓ２・・・は、制御部５により実行される処理手順（ステップ）の番号を表している。なお、前記印刷制御処理は、操作表示部６において前記特定処理の実行を伴う印刷処理の実行を指示するユーザー操作があった場合に実行される。
【００４９】
＜ステップＳ１＞
まず、ステップＳ１において、制御部５は、ＡＤＦ１及び画像読取部２を制御して、ＡＤＦ１の前記原稿セット部に載置された前記原稿のページ各々の画像を読み取る。ここで、ステップＳ１の処理は、制御部５の読取処理部５１により実行される。
【００５０】
＜ステップＳ２＞
ステップＳ２において、制御部５は、ステップＳ１で読み取られた前記原稿の画像データに基づいて、前記原稿のページ各々に含まれる文字を認識する。具体的に、制御部５は、前記原稿のページ各々に含まれる前記文字情報を取得する。ここで、ステップＳ２の処理は、制御部５の認識処理部５２により実行される。
【００５１】
＜ステップＳ３＞
ステップＳ３において、制御部５は、ステップＳ１で読み取られた前記原稿の画像データに基づいて、前記原稿のページ各々に含まれる前記特徴画像を検出する。ここに、ステップＳ３の処理が、本発明における第１ステップの一例であって、制御部５の画像検出部５３により実行される。
【００５２】
例えば、制御部５は、ステップＳ２で取得した前記文字情報に基づいて、前記原稿のページ各々における先頭行の文字列の表示領域を特定して、特定された表示領域に対応する前記原稿のページの一部画像を前記特定画像として検出する。
【００５３】
また、制御部５は、前記文字情報に基づいて、前記原稿のページ各々において数字と「章」の文字の組み合わせからなる章番号を示す文字列の有無を検出する。そして、画像検出部５３は、章番号を示す文字列が検出されたページについてはその表示領域を特定して、特定された表示領域に対応する前記原稿のページの一部画像を前記特徴画像として検出する。
【００５４】
＜ステップＳ４＞
ステップＳ４において、制御部５は、ステップＳ３で検出された複数の前記特徴画像のいずれか一つが表示された、前記指定操作を行うための前記操作受付画面を操作表示部６に表示させる。そして、制御部５は、操作表示部６に表示された前記操作受付画面において、ユーザーによる前記指定操作を待ち受ける。ここに、ステップＳ４の処理が、本発明における第２ステップの一例であって、制御部５の受付処理部５４により実行される。
【００５５】
＜ステップＳ５＞
ステップＳ５において、制御部５は、前記操作受付画面においてユーザーにより前記切替操作が行われたか否かを判断する。
【００５６】
ここで、制御部５は、前記操作受付画面においてユーザーにより前記切替操作が行われたと判断すると（Ｓ５のＹｅｓ側）、処理をステップＳ６に移行させる。また、前記操作受付画面においてユーザーにより前記切替操作が行われていなければ（Ｓ５のＮｏ側）、制御部５は、処理をステップＳ７に移行させる。
【００５７】
＜ステップＳ６＞
ステップＳ６において、制御部５は、前記操作受付画面に表示される前記特徴画像を、ステップＳ３で検出された他の前記特徴画像に切り替える。
【００５８】
＜ステップＳ７＞
ステップＳ７において、制御部５は、ユーザーによる前記指定操作が終了したか否かを判断する。具体的に、制御部５は、前記操作受付画面において前記指定操作を終了する旨のユーザー操作があった場合に、ユーザーによる前記指定操作が終了したと判断する。ここで、ステップＳ５からステップＳ７までの処理は、制御部５の受付処理部５４により実行される。
【００５９】
ここで、制御部５は、ユーザーによる前記指定操作が終了したと判断すると（Ｓ７のＹｅｓ側）、処理をステップＳ８に移行させる。また、ユーザーによる前記指定操作が終了していなければ（Ｓ７のＮｏ側）、制御部５は、処理をステップＳ５に移行させる。
【００６０】
＜ステップＳ８＞
ステップＳ８において、制御部５は、ステップＳ１で読み取られた前記原稿の画像データに基づく前記印刷処理の実行を開始する。ここで、ステップＳ８の処理は、制御部５の印刷処理部５５により実行される。
【００６１】
具体的に、制御部５は、給紙部４を制御して、給紙カセット４１及び手差しトレイ４２のうち予めユーザー操作又は初期設定で選択された前記シート載置部から前記シートを順次搬送させる。また、制御部５は、画像形成部３を制御して、給紙部４により順次搬送される前記シートに画像を形成する。また、制御部５は、操作表示部６におけるユーザー操作により両面印刷が指示された場合には、給紙部４により搬送される前記シートの両面に前記原稿のページ各々を印刷する。
【００６２】
＜ステップＳ９＞
ステップＳ９において、制御部５は、ステップＳ８で印刷される前記原稿のページが前記指定ページであるか否かを判断する。
【００６３】
ここで、制御部５は、ステップＳ８で印刷される前記原稿のページが前記指定ページであると判断すると（Ｓ９のＹｅｓ側）、処理をステップＳ１０に移行させる。また、ステップＳ８で印刷される前記原稿のページが前記指定ページでなければ（Ｓ９のＮｏ側）、制御部５は、処理をステップＳ１１に移行させる。
【００６４】
＜ステップＳ１０＞
ステップＳ１０において、制御部５は、ステップＳ８で前記指定ページが印刷されるタイミングで前記特定処理を実行する。ここに、ステップＳ１０の処理が、本発明における第３ステップの一例であって、制御部５の処理実行部５６により実行される。
【００６５】
例えば、制御部５は、前記操作受付画面においてユーザーにより前記第１処理の実行が指示された場合には、画像形成部３及び給紙部４を制御して、前記指定ページが印刷されるシートの前に、ユーザー操作又は初期設定による選択と異なる前記シート載置部から搬送される前記シートを挿入する。
【００６６】
また、制御部５は、前記操作受付画面においてユーザーにより前記第２処理の実行が指示された場合には、画像形成部３及び給紙部４を制御して、前記指定ページが印刷される前記シートを、ユーザー操作又は初期設定による選択と異なる前記シート載置部から搬送される前記シートに変更する。
【００６７】
また、制御部５は、前記操作受付画面においてユーザーにより前記第３処理の実行が指示された場合には、画像形成部３及び給紙部４を制御して、前記指定ページの印刷位置が前記シートの裏面である場合に、前記印刷位置を前記シート搬送部により次に搬送される前記シートの表面に変更する。また、制御部５は、前記操作受付画面においてユーザーにより前記第３処理と共に前記第１処理又は前記第２処理の実行が指示された場合には、前記第３処理と共に前記第１処理又は前記第２処理を実行する。
【００６８】
＜ステップＳ１１＞
ステップＳ１１において、制御部５は、ステップＳ１で読み取られた前記原稿の全てのページについて印刷が終了したか否かを判断する。
【００６９】
ここで、制御部５は、ステップＳ１で読み取られた前記原稿の全てのページについて印刷が終了したと判断すると（Ｓ１１のＹｅｓ側）、前記印刷制御処理を終了する。また、ステップＳ１で読み取られた前記原稿の全てのページについて印刷が終了していなければ（Ｓ１１のＮｏ側）、制御部５は、処理をステップＳ９に移行させて、全てのページについて印刷が終了するのを待ち受ける。
【００７０】
ここで、前記印刷制御処理が実行されて操作表示部６に表示される前記操作受付画面の一例を図４に示す。図４に示す操作受付画面６１は、メッセージ表示欄６１１、ページ指定操作領域６１２、戻るキー６１７、特徴画像切替キー６１８、及び印刷実行キー６１９を有する。
【００７１】
メッセージ表示欄６１１には、ユーザーへのメッセージが表示される。なお、図４のメッセージ表示欄６１１内に表示されているインターシートとは、前記第１処理の実行により前記指定ページの前に挿入されるシートのことである。また、チャプターページとは、前記第３処理の実行対象となる前記指定ページのことである。
【００７２】
ページ指定操作領域６１２には、複数の特徴画像表示欄６１３、複数のページ指定キー６１４Ａ〜６１４Ｂ、スクロールキー６１５Ａ〜６１５Ｄ、及びスクロール位置表示欄６１６が表示される。
【００７３】
複数の特徴画像表示欄６１３には、前記原稿のページ各々の前記特徴画像が表示される。例えば、図４では、章番号を示す文字列に対応する前記原稿のページの一部画像が前記特徴画像として表示されている。なお、章番号を示す文字列が含まれていない前記原稿のページ各々では前記特徴画像が検出されないため、前記特徴画像は表示されない。
【００７４】
複数のページ指定キー６１４Ａ〜６１４Ｂは、前記指定操作を行うための操作キーであって、複数の特徴画像表示欄６１３に対応して表示される。具体的に、ページ指定キー６１４Ａは前記第１処理に対応し、ページ指定キー６１４Ｂは前記第３処理に対応する。これにより、ユーザーは前記特徴画像表示欄６１３の表示内容を参照しつつ、前記特定処理の実行対象となるページを指定することが可能である。例えば、ページ指定キー６１４Ａ〜６１４Ｂは、ユーザー操作に応じて表示内容が変化する。なお、図４には表示されていないが、前記第２処理に対応するページ指定キーがページ指定操作領域６１２に表示されてもよい。
【００７５】
なお、ページ指定操作領域６１２に前記原稿の全てのページの前記特徴画像を表示できない場合には、ユーザーはスクロールキー６１５Ａ〜６１５Ｄを操作して、表示されていないページに対応する特徴画像表示欄６１３をページ指定操作領域６１２に表示させることが可能である。例えば、ユーザーは、スクロールキー６１５Ａを操作して、前記原稿のページ各々の前記特徴画像の表示を１画面分戻すことが可能である。また、ユーザーは、スクロールキー６１５Ｂを操作して、前記原稿のページ各々の前記特徴画像の表示を１ページ分戻すことが可能である。また、ユーザーは、スクロールキー６１５Ｃを操作して、前記原稿のページ各々の前記特徴画像の表示を１ページ分進めることが可能である。また、ユーザーは、スクロールキー６１５Ｄを操作して、前記原稿のページ各々の前記特徴画像の表示を１画面分進めることが可能である。なお、スクロール位置表示欄６１６には現在のスクロール位置が表示される。
【００７６】
戻るキー６１７は、印刷処理の実行をキャンセルするための操作キーである。例えば、制御部５は、ユーザーにより戻るキー６１７が操作されると、ステップＳ１で読み取られた前記原稿の画像データを記憶部７に格納して、前記印刷制御処理を終了する。なお、制御部５は、ユーザーにより戻るキー６１７が操作された場合に、ステップＳ１で読み取られた前記原稿の画像データに基づくプレビュー表示画面を操作表示部６に表示させてもよい。
【００７７】
特徴画像切替キー６１８は、前記切替操作を行うための操作キーである。例えば、ユーザーにより特徴画像切替キー６１８が操作されると、複数の特徴画像表示欄６１３に表示される前記特徴画像が、章番号を示す文字列に対応する前記原稿のページの一部画像から前記原稿のページ各々における先頭行の文字列に対応する前記原稿のページの一部画像に切り替わる。これにより、ユーザーは複数の前記特徴画像を切り替えて前記原稿のページを指定することが可能である。なお、特徴画像表示欄６１３に、複数の前記特徴画像が組み合わされて表示されてもよい。
【００７８】
印刷実行キー６１９は、印刷処理の実行を指示するための操作キーである。印刷実行キー６１９が操作されると、制御部５はユーザーによる前記指定操作が終了したと判断して、前記印刷制御処理のステップＳ８の処理を実行する。即ち、印刷実行キー６１９に対するユーザー操作が、前記指定操作を終了する旨のユーザー操作である。
【００７９】
このように、前記印刷制御処理では、前記原稿のページ各々の前記特徴画像が操作表示部６に表示される。そして、ユーザーは、操作表示部６に表示された前記特徴画像に基づいて、前記特定処理の実行対象となる前記原稿のページを指定することが可能である。従って、前記原稿のページを指定する際に生じるユーザーの手間が軽減される。
【符号の説明】
【００８０】
１  ：ＡＤＦ
２  ：画像読取部
３  ：画像形成部
４  ：給紙部
５  ：制御部
５１：読取処理部
５２：認識処理部
５３：画像検出部
５４：受付処理部
５５：印刷処理部
５６：処理実行部
６  ：操作表示部
７  ：記憶部
１０：画像処理装置
【図１】
2016158017.tif 000003
【図２】
2016158017.tif 000004
【図３】
2016158017.tif 000005
【図４】
2016158017.tif 000006